(57)【要約】【課題】  クランプ１を介してパイプ２を固定部材３に取り付けるパイプの止着構造において、クランプ１とパイプ２とが周方向に相対移動しないようにする。【解決手段】  パイプ２のスプール４の中間に凸条のない凹部５を形成する。そして、クランプ１の中間にスプール４に整合する幅のスリット７を設け、その中間部に架橋部８を設け、その架橋部８をパイプ２の凹部５に嵌着する。【選択図】        図１
2015113947.tif 000002
【特許請求の範囲】
【請求項１】
クランプ(1)を介して、パイプ(2)を固定部材(3)に取付けるパイプの止着構造において、
そのパイプ(1)は、その外周の周方向に凸条からなるスプール(4)が形成され、そのスプール(4)の長手方向の中間に凸条のない凹部(5)が形成され、
そのクランプ(1)は、その内周が前記パイプ(2)の外周に整合する把持部(6)を有すると共に、その把持部(6)の幅方向の中間に前記スプール(4)に整合する幅のスリット(7)が形成され且つ、前記凹部(5)に整合する位置で、スリット(7)間を跨ぐ架橋部(8)が形成され、
そのクランプ(1)のスリット(7)の内縁が、パイプ(2)のスプール(4)の両側に位置されると共に、スプール(4)の凹部(5)にクランプ(1)の架橋部(8)が嵌着された状態で、そのクランプ(1)が固定部材(3)に取付けられることを特徴とするパイプの止着構造。
【請求項２】
請求項１に記載のパイプの止着構造において、
そのクランプ(1)は、板バネ材からなり、その把持部(6)の端部に取付け部(9)が延在し、その取付け部(9)にボルト孔(10)が穿設されると共に、その把持部(6)の両側に一対の舌片(11)が取付け部(9)に直交する方向に一体に延在し、
前記固定部材(3)には、前記一対の舌片(11)間の距離に略整合する幅の門形部(12)が突設され、その頂部にボルトの螺着部(13)が設けられ、
前記一対の舌片(11)が門形部(12)の両側を挟持するように構成されたパイプの止着構造。
【請求項３】
請求項２に記載のパイプの止着構造において、
一対の舌片(11)は取付け部(9)の延在方向で、その取付け部(9)の根元(15)から異なるように千鳥に配置されたパイプの止着構造。
【発明の詳細な説明】
【技術分野】
【０００１】
本発明は、クランプを介してパイプを固定部材に取り付けるパイプの止着構造に関する。
【背景技術】
【０００２】
一例として、自動車用ラジエータのサージタンクには、固定パイプおよびホースを介して、ラジエータのフィラネックが接続される。その固定パイプ２は図３（Ａ）に示す如く、その先端に抜け止め用のバルジ加工16を施し、パイプ２の中間部に環状のスプール４を膨出させる。
そして、このスプール４に整合するスリット７を有するクランプ17を介し、図３（Ｂ）のごとく、固定パイプ２にクランプ17を被嵌し、そのクランプ17の取付け部のボルト孔10にボルトを挿通してラジエータのサージタンク等に固定していた。
【発明の概要】
【発明が解決しようとする課題】
【０００３】
従来のパイプの止着構造は、クランプ17のスリット７をパイプ２のスプール４の外周に嵌着し、そのクランプがパイプの軸方向に移動しないようにしていた。
ところが、一例として、図３に示す如く、Ｌ字状のパイプ２を固定する場合、軸方向のみならず周方向の固定も必要である。そのため、パイプおよびクランプを保持しつつ、クランプのボルト孔にボルトを挿通し、ボルトの締結力によってパイプの周方向の位置決めを行う必要があった。そして、パイプの取り付け作業が面倒であり、その調整に時間を要する欠点があった。
そこで、本発明は、クランプとパイプとが相対回転しないようにして、組み付け作業が容易にできる止着構造を提供することを課題とする。
【課題を解決するための手段】
【０００４】
請求項１に記載の本発明は、クランプ(1)を介して、パイプ(2)を固定部材(3)に取付けるパイプの止着構造において、
そのパイプ(1)は、その外周の周方向に凸条からなるスプール(4)が形成され、そのスプール(4)の長手方向の中間に凸条のない凹部(5)が形成され、
そのクランプ(1)は、その内周が前記パイプ(2)の外周に整合する把持部(6)を有すると共に、その把持部(6)の幅方向の中間に前記スプール(4)に整合する幅のスリット(7)が形成され且つ、前記凹部(5)に整合する位置で、スリット(7)間を跨ぐ架橋部(8)が形成され、
そのクランプ(1)のスリット(7)の内縁が、パイプ(2)のスプール(4)の両側に位置されると共に、スプール(4)の凹部(5)にクランプ(1)の架橋部(8)が嵌着された状態で、そのクランプ(1)が固定部材(3)に取付けられることを特徴とするパイプの止着構造である。
【０００５】
請求項２に記載の本発明は、請求項１に記載のパイプの止着構造において、
そのクランプ(1)は、板バネ材からなり、その把持部(6)の端部に取付け部(9)が延在し、その取付け部(9)にボルト孔(10)が穿設されると共に、その把持部(6)の両側に一対の舌片(11)が取付け部(9)に直交する方向に一体に延在し、
前記固定部材(3)には、前記一対の舌片(11)間の距離に略整合する幅の門形部(12)が突設され、その頂部にボルトの螺着部(13)が設けられ、
前記一対の舌片(11)が門形部(12)の両側を挟持するように構成されたパイプの止着構造である。
【０００６】
請求項３に記載の本発明は、請求項２に記載のパイプの止着構造において、
一対の舌片(11)は取付け部(9)の延在方向で、その取付け部(9)の根元(15)から異なるように千鳥に配置されたパイプの止着構造である。
【発明の効果】
【０００７】
本発明のパイプの止着構造は、そのクランプ１のスリット７の内縁が、パイプ２のスプール４の両側に位置されると共に、スプール４の凹部５にクランプ１の架橋部８が嵌着された状態で、そのクランプ１が固定部材３に取付けられるものである。従って、パイプ２は軸方向の移動に対して、スプール４とスリット７の嵌着により阻止され、その周方向の回転に対しては、架橋部８と凹部５との嵌着により阻止される。そのため、パイプ２をクランプ１に対して、いずれの方向にも固定した状態で、固定部材３にそれらを容易に取付けることができる。
【０００８】
上記構成において、請求項２に記載のように、固定部材３の門形部12の頂部にボルトの螺着部13が設けられ、クランプ１の一対の舌片11が門形部12の両側を挟持するように構成した場合には、クランプ１を固定部材３に取り付ける際の位置決めが容易となり、その取付けを迅速に行える。
【０００９】
請求項２の構成において、請求項３に記載のように、一対の舌片11を取付け部９の延在方向で、その根元15から異なるように千鳥に配置した場合には、クランプ１がボルト孔10の回りに回転することを確実に阻止することができる。
【図面の簡単な説明】
【００１０】
【図１】本発明のパイプの止着構造の要部分解斜視図。
【図２】その取付け説明図。
【図３】従来型のパイプの止着構造の分解斜視図（Ａ）、その取付け構造を示す斜視図（Ｂ）。
【発明を実施するための形態】
【００１１】
次に、図面に基づいて、本発明の実施の形態につき説明する。
図１は本発明のパイプの止着構造の要部分解斜視図であり、図２はその取付け説明図である。
この止着構造において、パイプ２はその軸線がＬ字状に形成され、その先端にバルジ加工16が膨出し、そこに図示しないホースが止着される。パイプ２の中間部には、周方向に凸条からなるスプール４が形成され、そのスプール４の長手方向の中間に凸条のない凹部５が形成されている。このような凹部５つきのスプール４は、一例として、パイプをバルジ加工することにより形成できる。
【００１２】
次に、クランプ１は板バネ材からなり、パイプ２の外周より僅かに小なる直径を有する把持部６を有し、その一端に取付け部９が延在されている。取付け部９と把持部６との根元15は折り曲げられている。取付け部９の中央部には楕円形のボルト孔10が穿設されている。
【００１３】
さらに、取付け部９の両側には一対の舌片11が一体的に突設されている。右側の舌片11と根元15との距離は短く、左側の舌片11と根元15との距離はそれより長い。即ち、舌片11の左右の配置は、根元15から異なるように千鳥状に配置される。各舌片11は、取付け部９に対して直角よりも内向きの「くの字」状に形成され、一対の舌片11の間隔が固定部材３のクランプ取付け部となる門形部12の幅よりも僅かに小に形成されている。また、舌片11の先端部は、外側に開かれ、門形部12への案内面を形成する。
なお、この舌片11の数は２つ以上にしてもよく、その場合も、根元15から異なるように千鳥に配置される。また、その大きさ（奥行長さ・高さ方向長さ）は、図面に記されたものに限らず、門型部12の側壁の高さ方向長さと一致させてもよい。
【００１４】
（作用）
次に、本発明のパイプの止着構造の取り付け方法について説明する。
パイプ２の外周にクランプ１を被嵌する。この時、クランプ１のスリット７の両縁が、パイプ２のスプール４の両側に位置されるともに、クランプ１の架橋部８が、パイプ２の凹部５に位置する。
【００１５】
このクランプ１は板バネ材からなり、その把持部６の内周はパイプ２より僅かに小に形成されているため、クランプ１をパイプ２に被嵌すると、パイプ２はクランプ１によって把持される。そして、クランプ１の架橋部８とパイプ２の凹部５とが嵌着することにより、両者は周方向に回転することなく位置決めされる。また、スリット７の両縁がスプール４の両側に位置するため、両者は軸方向にも位置決めされる。この状態で、クランプ１が固定部材３に止着される。
【００１６】
この例では、固定部材３はラジエータのタンク18であり、その一側に門形部12が凸設されている。門形部12の幅は、クランプ１の一対の舌片11の幅よりも僅かに大である。門形部12の端面にはボルト孔が設けられるとともに、その内側にナットが装着されている。
そこで、クランプ１の一対の舌片11を門形部12の両側に嵌着する。このとき、一対の舌片11のばね性により、クランプ１は門形部12に保持される。そこで、ボルト14をクランプ１のボルト孔10に挿通し、門形部12内のナットにそれを締結固定する。
【符号の説明】
【００１７】
１  クランプ
２  パイプ
３  固定部材
４  スプール
５  凹部
６  把持部
７  スリット
８  架橋部
９  取付け部
【００１８】
10  ボルト孔
11  舌片
12  門形部
13  螺着部
14  ボルト
15  根元
16  バルジ加工
17  クランプ
18  タンク
【図１】
2015113947.tif 000003
【図２】
2015113947.tif 000004
【図３】
2015113947.tif 000005